(57)【特許請求の範囲】
【請求項１】
スーツ等を掛けるハンガー主体と、椅子の背もたれに取付ける固定盤とから構成され、前記ハンガー主体は、該ハンガー主体の下面に彎曲凹入部を形成し、前記固定盤は、該固定盤の上面に前記ハンガー主体の下面に形成された彎曲凹入部に適合する彎曲凸出部を形成し、
前記ハンガー主体の中央に吊設された縦長のラチエットレバーを前記固定盤の中央部に設けられた固定位置調節孔に貫通させ、
前記ラチエットレバーに設けられた複数のラチェット歯のうち任意のラチェット歯に係止するアジャストレバーを支点ピンで前記固定盤に枢着すると共に、
前記アジャストレバーを前記ラチェット歯に係止する方向へ作用するコイルばねを設けた構成により、
前記ラチエットレバーを前記固定盤の中央部に設けられた固定位置調節孔に貫通させて、該固定位置調節孔にラチエットレバーを上下摺動可能に固定して、
不使用時はハンガー主体を背もたれの裏側に収納し、使用時にハンガー主体を背もたれの上方に突出させるようにし、
かつ前記固定盤の下側面の左右に凹入溝部を設け、屈曲ホルダーの基端には基部主体と蓋体とから構成された合成樹脂製の差込固定部を固定し、該差込固定部が該凹入溝部に挿入される際に、
該差込固定部に設けられた弾性係止片の係止段部が前記固定盤の凹入溝部に設けられた突起部に係止されることによって前記屈曲ホルダーは固定状態で安定し、
前記弾性係止片の下方に突出形成された摘み部を操作して前記係止段部が前記固定盤の突起部との係止状態を解除することにより、前記屈曲ホルダーを着脱自在に取り外すようにした、
ことを特徴とするスーツハンガー。
【発明の詳細な説明】
【０００１】
【発明の属する技術分野】
本発明は、スーツ等を掛けるハンガーに関するものである。
【０００２】
【従来の技術】
この種のスーツハンガーには図１１に示すように、椅子の背もたれａに、ハンガー主体ｂと一体の挿込脚片ｃを差込んで固定するようにしたものであるが、ハンガー主体ｂは椅子の背もたれａ上に突出したまゝの状態であるから服をハンガーに掛けない時は非常に邪魔になり、又取外せば収納場所に困る等の問題があり取扱い上好ましくない。
【０００３】
【発明が解決しようとする課題】
本発明の課題は、服類を掛けない特はコンパクトに椅子の背もたれに添着されるので邪魔にならず、使用時は背もたれの上に突出して服類を整然と掛けられ、しかも固定盤を椅子の背もたれに固定する屈曲ホルダーを、固定盤の左右に着脱可能に固装したことである。
従ってホルダーを取外した状態で包装すれば、小形になるので保管や搬送に便利であり、それに経済的効果も大きい。
【０００４】
【課題を解決するための手段】
上記の目的を達成するために、本発明における請求項１のスーツハンガーは、スーツ等を掛けるハンガー主体と、椅子の背もたれに取付ける固定盤とから構成され、前記ハンガー主体は、該ハンガー主体の下面に彎曲凹入部を形成し、前記固定盤は、該固定盤の上面に前記ハンガー主体の下面に形成された彎曲凹入部に適合する彎曲凸出部を形成し、前記ハンガー主体の中央に吊設された縦長のラチエットレバーを前記固定盤の中央部に設けられた固定位置調節孔に貫通させ、前記ラチエットレバーに設けられた複数のラチェット歯のうち任意のラチェット歯に係止するアジャストレバーを支点ピンで前記固定盤に枢着すると共に、前記アジャストレバーを前記ラチェット歯に係止する方向へ作用するコイルばねを設けた構成により、前記ラチエットレバーを前記固定盤の中央部に設けられた固定位置調節孔に貫通させて、該固定位置調節孔にラチエットレバーを上下摺動可能に固定して、不使用時はハンガー主体を背もたれの裏側に収納し、使用時にハンガー主体を背もたれの上方に突出させるようにし、
かつ前記固定盤の下側面の左右に凹入溝部を設け、屈曲ホルダーの基端には基部主体と蓋体とから構成された合成樹脂製の差込固定部を固定し、該差込固定部が該凹入溝部に挿入される際に、該差込固定部に設けられた弾性係止片の係止段部が前記固定盤の凹入溝部に設けられた突起部に係止されることによって前記屈曲ホルダーは固定状態で安定し、前記弾性係止片の下方に突出形成された摘み部を操作して前記係止段部が前記固定盤の突起部との係止状態を解除することにより、前記屈曲ホルダーを着脱自在に取り外すようにした、ことを特徴とする。
【０００５】
【発明の実施の形態】
図面について本発明に係るスーツハンガーの具体例を詳細に説明する。図中の符号１はハンガー主体、２は固定盤で前後分割体２ａ、２ｂに分割形成されている。そしてハンガー主体１は下面に彎曲凹入部３を形成し（図４参照）、固定盤２は前記彎曲凹入部３に適合する彎曲凸出部４を上面に形成して、図１に示すように組立てられ、ハンガー主体１の中央に縦長のラチエットレバー５を吊設し、固定盤２にはラチエットレバー５が貫通する固定位置調節孔６を設けてあり、又ラチエットレバー５の任意のラチエット歯５ａに係止するアジヤストレバー７を支点ピン８で固定盤２に枢着し、アジヤストレバー７の係止爪７ａが所望のラチエット歯５ａに係止する方向にコイルばね９をアジヤストレバー７に作用させてある。
従って固定盤２に対してハンガー主体１は上下に調整可能である。
【０００６】
特に本発明においては、前記固定盤２の下側面２ｃの左右にそれぞれ凹入溝部１０を設け、椅子の背もたれＡに取付ける屈曲ホルダー１１の基端に設けた差込固定部１２を、前記凹入溝部１０に着脱可能に固定する。この際、差込固定部１２に設けた弾性係止片１３の係止段部１３ａが固定盤２の突起部１４に係止して屈曲ホルダー１１は固定状態で安定する。そして弾性係止片１３の固定盤２より下方に突出した摘み部１３ｂを操作して、前記係止段部１３ａと固定盤２の突起部１４との係止状態を解除することにより屈曲ホルダー１１を取外すことができるのである。
【０００７】
又前記差込固定部１２は、硬質合成樹脂で形成した基部主体１２ａと蓋体１２ｂとから構成され、基部主体１２ａの溝部１５に屈曲ホルダー１１の基端１１ａを差し込み、蓋体１２ｂで被つて固定する。
尚図中の符号１６は、前記蓋体１２ｂに設けた係止突片で、基部主体１２ａに設けた係合溝部１７に嵌合して固定するようになつている。
【０００８】
【発明の効果】
本発明は、叙上のように服類を椅子に掛ける際は、背もたれ上に突出したハンガー主体により整然と掛けられ、不使用時は背もたれの裏側にハンガー主体、固定盤及びラチエットレバー等の全てを収納できるので、突出物がなくなり体裁は極めて良好であり取扱い上も至極便利である。
特に本発明においては、椅子の背もたれに取付ける屈曲ホルダーを、固定盤に着脱可能に固装するようにしてあるので、屈曲ホルダーを取外した状態で小形に包装することができる。従って場所を取らないので保管及び搬送に便利であり、経済的効果も奏するものである。
【図面の簡単な説明】
【図１】      正面図
【図２】      背面図
【図３】      右側面図
【図４】      ハンガー主体を上昇させた状態を示す正面図
【図５】      図４のＡ−Ａ線における拡大断面図、
【図６】      図４におけるアジヤストレバーを操作した状態を示す断面図
【図７】      固定盤の前側分割体を取外して、屈曲ホルダーの固定状態を示す正面図
【図８】      同上の屈曲ホルダーを取外した状態を示す正面図
【図９】      屈曲ホルダーの差込固定部で、蓋体を分離して内部構造を示した正面図
【図１０】    図９のＢ−Ｂ線における断面図
【図１１】    従来例の使用状態を示す正面図
【符号の説明】
１  ハンガー主体
２  固定盤
３  彎曲凹入部
４  彎曲凸出部
５  ラチエットレバー
６  固定位置調節孔
７  アジヤストレバー
８  支点ピン
９  コイルばね
１０  凹入溝部
１１  屈曲ホルダー
１２  差込固定部
１２ａ  基部主体
１２ｂ  蓋体
１３  弾性係止片
１３ａ  係止段部
１３ｂ  摘み部
１４  突起部
１５  溝部
１６  係止突片
１７  係合溝部
Ａ  椅子の背もたれ
【図１】
0003890851.tif 000002
【図２】
0003890851.tif 000003
【図３】
0003890851.tif 000004
【図４】
0003890851.tif 000005
【図５】
0003890851.tif 000006
【図６】
0003890851.tif 000007
【図７】
0003890851.tif 000008
【図８】
0003890851.tif 000009
【図９】
0003890851.tif 000010
【図１０】
0003890851.tif 000011
【図１１】
0003890851.tif 000012